(57)【要約】【課題】ユーザにとって重要度の高い画像情報を、携帯型情報処理端末に搭載された複数のディスプレイのうちの最適なものに表示させることができるようにする。【解決手段】ディスプレイ部４７を構成する９個のディスプレイ６１のそれぞれは、自分自身に表示される画像をユーザが見た場合における見易さの度合いを表す可視率を演算し、９個のディスプレイ６１の可視率に基づいて、９個のディスプレイ６１の中での自分自身の表示の優先順位を表すディスプレイ順位を演算し、ＣＰＵより入出力インタフェース４５、およびデータ線６４を介して提供される、重要度順位が予め決定されている９個の画像のうちの、自分自身のディスプレイ順位に対応する重要度順位を有する画像を表示する。本発明は、ＰＤＡ型や腕時計型の携帯型情報処理端末に適用可能である。【選択図】　　　図８
2004077862.tif 000002
【特許請求の範囲】
【請求項１】
情報処理装置に、１つ以上の他の表示装置とともに搭載、または接続される表示装置において、
前記情報処理装置より提供される画像を表示する表示手段と、
ユーザが前記表示手段に表示される画像を見た場合における、前記表示装置自身の見易さの度合いを演算する第１の演算手段と、
前記第１の演算手段により演算された前記表示装置自身の前記見易さの度合い、および、前記他の表示装置の前記見易さの度合いに基づいて、前記表示装置自身の表示の優先順位を演算する第２の演算手段と、
前記情報処理装置より提供される、重要度の順位が予め決定されている複数の画像のうちの、前記第２の演算手段により演算された前記表示装置自身の前記表示の優先順位に対応する前記重要度の順位を有する前記画像を、前記表示手段に表示させるように制御する表示制御手段と
を備えることを特徴とする表示装置。
【請求項２】
前記第１の演算手段により演算された前記表示装置自身の前記見易さの度合いを、前記他の表示装置に対して送信する送信手段と、
前記他の表示装置より送信された、前記他の表示装置の前記見易さの度合いを受信する第１の受信手段と
をさらに備え、
前記第２の演算手段は、前記第１の演算手段により演算された前記表示装置自身の前記見易さの度合いと、前記第１の受信手段により受信された前記他の表示装置の前記見易さの度合いとを比較し、その比較の結果に基づいて、前記表示装置自身の前記表示の優先順位を演算する
ことを特徴とする請求項１に記載の表示装置。
【請求項３】
前記情報処理装置より提供される前記画像、および前記画像の前記重要度の順位を受信する第２の受信手段をさらに備え、
前記表示制御手段は、前記第２の受信手段により、前記第２の演算手段により演算された前記表示装置自身の前記表示の優先順位に対応する前記重要度の順位が受信された場合、前記第２の受信手段により前記重要度の順位とともに受信された前記画像を、前記表示手段に表示させるように制御する
ことを特徴とする請求項２に記載の表示装置。
【請求項４】
前記画像を表示する場合の拡大率、または縮小率を受信する第３の受信手段をさらに備え、
前記表示制御手段は、前記第２の受信手段により、前記第２の演算手段により演算された前記表示装置自身の前記表示の優先順位に対応する前記重要度の順位が受信された場合、前記第２の受信手段により前記重要度の順位とともに受信された前記画像を、前記第３の受信手段により受信された前記拡大率、または、前記縮小率に従って拡大、または縮小して、前記表示手段に表示させるように制御する
ことを特徴とする請求項３に記載の表示装置。
【請求項５】
前記表示装置の所定の状態を表す状態値を検知する検知手段をさらに備え、
前記第１の演算手段は、前記検知手段により検知された前記状態値に基づいて、前記表示装置自身の前記見易さの度合いを演算する
ことを特徴とする請求項１に記載の表示装置。
【請求項６】
前記検知手段は、前記表示手段に対する入射光量、および入射角、前記表示手段からの反射光量、および反射角、並びに、前記ユーザの目線と前記表示手段の前記画像の呈示方向との間の角度差のうちの、少なくとも１つの前記状態値を検知する
ことを特徴とする請求項５に記載の表示装置。
【請求項７】
情報処理装置に、１つ以上の他の表示装置とともに搭載、または、接続される表示装置の表示方法において、
ユーザが前記表示装置に表示される画像を見た場合における、前記表示装置自身の見易さの度合いを演算する第１の演算ステップと、
前記第１の演算ステップの処理により演算された前記表示装置自身の前記見易さの度合い、および、前記他の表示装置の前記見易さの度合いに基づいて、前記表示装置自身の表示の優先順位を演算する第２の演算ステップと、
前記情報処理装置より提供される、重要度の順位が予め決定されている複数の画像のうちの、前記第２の演算ステップの処理により演算された前記表示装置自身の前記表示の優先順位に対応する前記重要度の順位を有する前記画像を、前記表示装置に表示させるように制御する表示制御ステップと
を含むことを特徴とする表示方法。
【請求項８】
情報処理装置に、１つ以上の他の表示装置とともに搭載、または、接続される表示装置を制御するコンピュータのプログラムであって、
ユーザが前記表示装置に表示される画像を見た場合における、前記表示装置自身の見易さの度合いを演算する第１の演算ステップと、
前記第１の演算ステップの処理により演算された前記表示装置自身の前記見易さの度合い、および、前記他の表示装置の前記見易さの度合いに基づいて、前記表示装置自身の表示の優先順位を演算する第２の演算ステップと、
前記情報処理装置より提供される、重要度の順位が予め決定されている複数の画像のうちの、前記第２の演算ステップの処理により演算された前記表示装置自身の前記表示の優先順位に対応する前記重要度の順位を有する前記画像を、前記表示装置に表示させるように制御する表示制御ステップと
を含むことを特徴とするコンピュータが読み取り可能なプログラムが記録されている記録媒体。
【請求項９】
情報処理装置に、１つ以上の他の表示装置とともに搭載、または、接続される表示装置を制御するコンピュータに、
ユーザが前記表示装置に表示される画像を見た場合における、前記表示装置自身の見易さの度合いを演算する第１の演算ステップと、
前記第１の演算ステップの処理により演算された前記表示装置自身の前記見易さの度合い、および、前記他の表示装置の前記見易さの度合いに基づいて、前記表示装置自身の表示の優先順位を演算する第２の演算ステップと、
前記情報処理装置より提供される、重要度の順位が予め決定されている複数の画像のうちの、前記第２の演算ステップの処理により演算された前記表示装置自身の前記表示の優先順位に対応する前記重要度の順位を有する前記画像を、前記表示装置に表示させるように制御する表示制御ステップと
を実行させることを特徴とするプログラム。
【請求項１０】
画像を表示する複数の表示手段と、
ユーザが複数の前記表示手段のそれぞれに表示される画像を見た場合における、複数の前記表示手段のそれぞれの見易さの度合いを演算する第１の演算手段と、
前記第１の演算手段により演算された複数の前記表示手段の前記見易さの度合いに基づいて、複数の前記表示手段のそれぞれの表示の優先順位を演算する第２の演算手段と、
重要度の順位が予め決定されている複数の画像を、前記第２の演算手段により演算された複数の前記表示手段の前記表示の優先順位、および、前記重要度の順位に基づいて、複数の前記表示手段のそれぞれに表示させるように制御する表示制御手段と
を備えることを特徴とする携帯型情報処理端末。
【請求項１１】
前記表示制御手段は、さらに、所定の入力情報を表す画像を複数の前記表示手段のうちの所定のものに表示させるように制御し、
前記第１の演算手段により演算された複数の前記表示手段の前記見易さの度合いのうちの、最も高い前記見易さの度合いを有する前記表示手段に表示されている前記画像に対応する前記入力情報を取得する情報取得手段をさらに備える
ことを特徴とする請求項１０に記載の携帯型情報処理端末。
【請求項１２】
複数のディスプレイを備える携帯型情報処理端末の情報処理方法において、
ユーザが複数の前記ディスプレイのそれぞれに表示される前記画像を見た場合における、複数の前記ディスプレイのそれぞれの見易さの度合いを演算する第１の演算ステップと、
前記第１の演算ステップの処理により演算された複数の前記ディスプレイの前記見易さの度合いに基づいて、前記複数のディスプレイのそれぞれの表示の優先順位を演算する第２の演算ステップと、
重要度の順位が予め決定されている複数の前記画像を、前記第２の演算ステップの処理により演算された複数の前記ディスプレイの前記表示の優先順位、および、前記重要度の順位に基づいて、複数の前記ディスプレイのそれぞれに表示させるように制御する表示制御ステップと
を含むことを特徴とする情報処理方法。
【請求項１３】
複数のディスプレイを備える携帯型情報処理端末を制御するコンピュータのプログラムであって、
ユーザが複数の前記ディスプレイのそれぞれに表示される前記画像を見た場合における、複数の前記ディスプレイのそれぞれの見易さの度合いを演算する第１の演算ステップと、
前記第１の演算ステップの処理により演算された複数の前記ディスプレイの前記見易さの度合いに基づいて、前記複数のディスプレイのそれぞれの表示の優先順位を演算する第２の演算ステップと、
重要度の順位が予め決定されている複数の前記画像を、前記第２の演算ステップの処理により演算された複数の前記ディスプレイの前記表示の優先順位、および、前記重要度の順位に基づいて、複数の前記ディスプレイのそれぞれに表示させるように制御する表示制御ステップと
を含むことを特徴とするコンピュータが読み取り可能なプログラムが記録されている記録媒体。
【請求項１４】
複数のディスプレイを備える携帯型情報処理端末を制御するコンピュータに、
ユーザが複数の前記ディスプレイのそれぞれに表示される前記画像を見た場合における、複数の前記ディスプレイのそれぞれの見易さの度合いを演算する第１の演算ステップと、
前記第１の演算ステップの処理により演算された複数の前記ディスプレイの前記見易さの度合いに基づいて、前記複数のディスプレイのそれぞれの表示の優先順位を演算する第２の演算ステップと、
重要度の順位が予め決定されている複数の前記画像を、前記第２の演算ステップの処理により演算された複数の前記ディスプレイの前記表示の優先順位、および、前記重要度の順位に基づいて、複数の前記ディスプレイのそれぞれに表示させるように制御する表示制御ステップと
を実行させることを特徴とするプログラム。
【発明の詳細な説明】
【０００１】
【発明の属する技術分野】
本発明は、表示装置および方法、携帯型情報処理端末および方法、記録媒体、並びにプログラムに関し、特に、ユーザにとって重要度の高い画像情報を、携帯型情報処理端末に搭載された複数のディスプレイのうちの最適なものに表示させることができるようにした表示装置および方法、携帯型情報処理端末および方法、記録媒体、並びにプログラムに関する。
【０００２】
【従来の技術】
近年、画像の表示が可能な情報処理装置の小型化が進み、ＰＤＡ（Ｐｅｒｓｏｎａｌ　Ｄｉｇｉｔａｌ　Ａｓｓｉｓｔａｎｔ）型や腕時計型の携帯型情報処理端末が普及してきた。
【０００３】
さらに、近年、多種多量の情報を一度に見たいというユーザの要望を背景にして、２つの独立したディスプレイを有するＰＤＡ型や腕時計型の携帯型情報処理端末が提案されつつある。
【０００４】
【発明が解決しようとする課題】
しかしながら、２つのディスプレイを有する携帯型情報処理端末が使用される場合、２つのディスプレイが同一平面上に配置されないと、２つのディスプレイのそれぞれは、ユーザにとって同程度に見易いとは限らないという課題があった。
【０００５】
即ち、日光等の光の反射（写り込み）、屋外での物体（建物等）の写り込み、影等によるディスプレイ毎の平均輝度差の存在、または、ユーザに対するディスプレイの呈示面の角度の違い等の影響を受け、ディスプレイの配置位置によって、ディスプレイのユーザからの見易さが変化してしまう。
【０００６】
例えば、ＰＤＡ等によく使用される液晶ディスプレイは、視野角が狭く、ユーザの見る方向によってその見え方が大きく異なるという特徴を有している。従って、そのような２つの液晶ディスプレイを有するＰＤＡにおいて、２つの液晶ディスプレイが同一平面上から少しでもずれて配置されると、一方の液晶ディスプレイが、たとえユーザにとって最適な見易さを保っていたとしても、他方の液晶ディスプレイは、ユーザにとって見づらくなってしまうことが多々ある。
【０００７】
このように、ユーザが、２つのディスプレイを有する携帯型情報処理端末を使用しても、ユーザにとって見づらいディスプレイが存在してしまい、必要以上の負荷を感じることが多く、結果的に、２つのディスプレイを有しているという利点を十分に生かしきれないことになる。
【０００８】
本発明は、このような状況に鑑みてなされたものであり、ユーザにとって重要度の高い画像情報を、携帯型情報処理端末に搭載された複数のディスプレイのうちの最適なものに表示させることができるようにするものである。
【０００９】
【課題を解決するための手段】
本発明の表示装置は、情報処理装置に、１つ以上の他の表示装置とともに搭載、または接続される表示装置であって、情報処理装置より提供される画像を表示する表示手段と、ユーザが表示手段に表示される画像を見た場合における、表示装置自身の見易さの度合いを演算する第１の演算手段と、第１の演算手段により演算された表示装置自身の見易さの度合い、および、他の表示装置の見易さの度合いに基づいて、表示装置自身の表示の優先順位を演算する第２の演算手段と、情報処理装置より提供される、重要度の順位が予め決定されている複数の画像のうちの、第２の演算手段により演算された表示装置自身の表示の優先順位に対応する重要度の順位を有する画像を、表示手段に表示させるように制御する表示制御手段とを備えることを特徴とする。
【００１０】
第１の演算手段により演算された表示装置自身の見易さの度合いを、他の表示装置に対して送信する送信手段と、他の表示装置より送信された、他の表示装置の見易さの度合いを受信する第１の受信手段とをさらに設け、第２の演算手段は、第１の演算手段により演算された表示装置自身の見易さの度合いと、第１の受信手段により受信された他の表示装置の見易さの度合いとを比較し、その比較の結果に基づいて、表示装置自身の表示の優先順位を演算するようにすることができる。
【００１１】
情報処理装置より提供される画像、およびその画像の重要度の順位を受信する第２の受信手段をさらに設け、表示制御手段は、第２の受信手段により、第２の演算手段により演算された表示装置自身の表示の優先順位に対応する重要度の順位が受信された場合、第２の受信手段により重要度の順位とともに受信された画像を、表示手段に表示させるように制御するようにすることができる。
【００１２】
画像を表示する場合の拡大率、または縮小率を受信する第３の受信手段をさらに設け、表示制御手段は、第２の受信手段により、第２の演算手段により演算された表示装置自身の表示の優先順位に対応する重要度の順位が受信された場合、第２の受信手段により重要度の順位とともに受信された画像を、第３の受信手段により受信された拡大率、または、縮小率に従って拡大、または縮小して、表示手段に表示させるように制御するようにすることができる。
【００１３】
表示装置の所定の状態を表す状態値を検知する検知手段をさらに設け、第１の演算手段は、検知手段により検知された状態値に基づいて、表示装置の見易さの度合いを演算するようにすることができる。
【００１４】
検知手段は、表示手段に対する入射光量、および入射角、表示手段からの反射光量、および反射角、並びに、ユーザの目線と表示手段の画像の呈示方向との間の角度差のうちの、少なくとも１つの状態値を検知するようにすることができる。
【００１５】
本発明の表示装置の表示方法は、情報処理装置に、１つ以上の他の表示装置とともに搭載、または、接続される表示装置の表示方法であって、ユーザが表示装置に表示される画像を見た場合における、表示装置自身の見易さの度合いを演算する第１の演算ステップと、第１の演算ステップの処理により演算された表示装置自身の見易さの度合い、および、他の表示装置の見易さの度合いに基づいて、表示装置自身の表示の優先順位を演算する第２の演算ステップと、情報処理装置より提供される、重要度の順位が予め決定されている複数の画像のうちの、第２の演算ステップの処理により演算された表示装置自身の表示の優先順位に対応する重要度の順位を有する画像を、表示装置に表示させるように制御する表示制御ステップとを含むことを特徴とする。
【００１６】
本発明の第１の記録媒体のプログラムは、情報処理装置に、１つ以上の他の表示装置とともに搭載、または、接続される表示装置を制御するコンピュータが実行するプログラムであって、ユーザが表示装置に表示される画像を見た場合における、表示装置自身の見易さの度合いを演算する第１の演算ステップと、第１の演算ステップの処理により演算された表示装置自身の見易さの度合い、および、他の表示装置の見易さの度合いに基づいて、表示装置自身の表示の優先順位を演算する第２の演算ステップと、情報処理装置より提供される、重要度の順位が予め決定されている複数の画像のうちの、第２の演算ステップの処理により演算された表示装置自身の表示の優先順位に対応する重要度の順位を有する画像を、表示装置に表示させる。
【００１７】
本発明の第１のプログラムは、情報処理装置に、１つ以上の他の表示装置とともに搭載、または、接続される表示装置のコンピュータに、ユーザが表示装置に表示される画像を見た場合における、表示装置自身の見易さの度合いを演算する第１の演算ステップと、第１の演算ステップの処理により演算された表示装置自身の見易さの度合い、および、他の表示装置の見易さの度合いに基づいて、表示装置自身の表示の優先順位を演算する第２の演算ステップと、情報処理装置より提供される、重要度の順位が予め決定されている複数の画像のうちの、第２の演算ステップの処理により演算された表示装置自身の表示の優先順位に対応する重要度の順位を有する画像を、表示装置に表示させるように制御する表示制御ステップとを実行させることを特徴とする。
【００１８】
本発明の表示装置および方法、第１の記録媒体、並びに第１のプログラムにおいては、情報処理装置に、１つ以上の他の表示装置とともに本発明の表示装置が搭載、または、接続された状態で、ユーザが表示装置に表示される画像を見た場合における、表示装置自身の見易さの度合いが演算され、演算された表示装置自身の見易さの度合、および、他の表示装置の見易さの度合いに基づいて、その表示装置自身の表示の優先順位が演算され、情報処理装置より提供される、重要度の順位が予め決定されている複数の画像のうちの、演算された表示装置自身の表示の優先順位に対応する重要度の順位を有する画像が、表示装置に表示される。
【００１９】
本発明の表示装置は、表示する画像の提供元である情報処理装置とは独立した装置であってもよいし、その情報処理装置を構成する１つの装置であってもよい。
【００２０】
本発明の携帯型情報処理端末は、画像を表示する複数の表示手段と、ユーザが複数の表示手段のそれぞれに表示される画像を見た場合における、複数の表示手段のそれぞれの見易さの度合いを演算する第１の演算手段と、第１の演算手段により演算された複数の表示手段の見易さの度合いに基づいて、複数の表示手段のそれぞれの表示の優先順位を演算する第２の演算手段と、重要度の順位が予め決定されている複数の画像を、第２の演算手段により演算された複数の表示手段の表示の優先順位、および、重要度の順位に基づいて、複数の表示手段のそれぞれに表示させるように制御する表示制御手段とを備えることを特徴とする。
【００２１】
表示制御手段は、さらに、所定の入力情報を表す画像を、複数の表示手段のうちの所定のものに表示させるように制御し、第１の演算手段により演算された複数の表示手段の見易さの度合いのうちの、最も高い見易さの度合いを有する表示手段に表示されている画像に対応する入力情報を取得する情報取得手段をさらに設けるようにすることができる。
【００２２】
本発明の、複数のディスプレイを備える携帯型情報処理端末の情報処理方法は、ユーザが複数のディスプレイのそれぞれに表示される画像を見た場合における、複数のディスプレイのそれぞれの見易さの度合いを演算する第１の演算ステップと、第１の演算ステップの処理により演算された複数のディスプレイの見易さの度合いに基づいて、複数のディスプレイのそれぞれの表示の優先順位を演算する第２の演算ステップと、重要度の順位が予め決定されている複数の画像を、第２の演算ステップの処理により演算された複数のディスプレイの表示の優先順位、および、重要度の順位に基づいて、複数のディスプレイのそれぞれに表示させるように制御する表示制御ステップとを含むことを特徴とする。
【００２３】
本発明の第２の記録媒体のプログラムは、複数のディスプレイを備える携帯型情報処理端末を制御するコンピュータのプログラムであって、ユーザが複数のディスプレイのそれぞれに表示される画像を見た場合における、複数のディスプレイのそれぞれの見易さの度合いを演算する第１の演算ステップと、第１の演算ステップの処理により演算された複数のディスプレイの見易さの度合いに基づいて、複数のディスプレイのそれぞれの表示の優先順位を演算する第２の演算ステップと、重要度の順位が予め決定されている複数の画像を、第２の演算ステップの処理により演算された複数のディスプレイの表示の優先順位、および、重要度の順位に基づいて、複数のディスプレイのそれぞれに表示させるように制御する表示制御ステップとを含むことを特徴とする。
【００２４】
本発明の第２のプログラムは、複数のディスプレイを備える携帯型情報処理端末を制御するコンピュータに、ユーザが複数のディスプレイのそれぞれに表示される画像を見た場合における、複数のディスプレイのそれぞれの見易さの度合いを演算する第１の演算ステップと、第１の演算ステップの処理により演算された複数のディスプレイの見易さの度合いに基づいて、複数のディスプレイのそれぞれの表示の優先順位を演算する第２の演算ステップと、重要度の順位が予め決定されている複数の画像を、第２の演算ステップの処理により演算された複数のディスプレイの表示の優先順位、および、重要度の順位に基づいて、複数のディスプレイのそれぞれに表示させるように制御する表示制御ステップとを実行させることを特徴とする。
【００２５】
本発明の携帯型情報処理端末および方法、第２の記録媒体、並びに第２のプログラムにおいては、携帯型情報処理端末に搭載される複数のディスプレイのそれぞれに表示される画像をユーザが見た場合における、複数のディスプレイのそれぞれの見易さの度合いが演算され、演算された複数のディスプレイの見易さの度合いに基づいて、複数のディスプレイのそれぞれの表示の優先順位が演算され、重要度の順位が予め決定されている複数の画像が、演算された複数のディスプレイの表示の優先順位、および、重要度の順位に基づいて、複数のディスプレイのそれぞれに表示される。
【００２６】
本発明の携帯型情報処理端末は、自分自身で生成した画像を表示する装置であってもよいし、他の装置または記録媒体より提供された画像を表示する装置でもよい。また、自分自身で生成した画像、並びに、他の装置若しくは記録媒体より提供された画像のそれぞれを表示可能な装置でもよい。
【００２７】
【発明の実施の形態】
図１は、本発明が適用される腕時計型の携帯型情報処理端末１−１の外観の構成例を表している。
【００２８】
図１に示されるように、腕時計型の携帯型情報処理端末１−１には、１１個のディスプレイ１１−１乃至１１−１１が設けられており、これらのうちのディスプレイ１１−６を除くディスプレイ１１−１乃至１１−５、および、ディスプレイ１１−７乃至１１−１１のそれぞれは、所定の軸（図示せず）を中心にして回動可能とされている。
【００２９】
同様に、図２は、本発明が適用されるＰＤＡ型の携帯型情報処理端末１−２の外観の構成例を表している。
【００３０】
図２に示されるように、ＰＤＡ型の携帯型情報処理端末１−２には、６個のディスプレイ２１−１乃至２１−６が設けられており、これらのうちのメインのディスプレイ２１−１を除くディスプレイ２１−２乃至２１−６のそれぞれは、所定の軸（図示せず）を中心にして回動可能とされている。
【００３１】
なお、本発明が適用される携帯型情報処理端末は、上述した腕時計型の携帯型情報処理端末１−１、および、ＰＤＡ型の携帯型情報処理端末１−２に限定されず、様々な実施の形態を取ることが可能である。また、本発明が適用される携帯型情報処理端末が有するディスプレイの数は、図１と図２の例（図１の１１個と図２の６個）に限定されず、２個以上であれば特に構わない。
【００３２】
例えば、図３と図４は、１６個のディスプレイ３１が配置された例を表している（携帯型情報処理端末の本体は図示せず）。図３と図４に示されるように、１６個のディスプレイ３１の全てが、同一平面３２の上に配置されている場合、これら１６個のディスプレイ３１のそれぞれは、基本的に、ユーザにとって同程度に見易いといえる。
【００３３】
しかしながら、図１と図２と同様に、１６個のディスプレイ３１のうちの幾つかのものが、所定の軸を中心として回動可能とされている場合、図５と図６に示されるように、ユーザの使い方によっては、１６個のディスプレイ３１の全てが、同一平面３２の上に配置されないことがある。この場合、上述した課題、即ち、１６個のディスプレイ３１のそれぞれは、ユーザにとって同程度に見易いとは限らないという課題が発生してしまう。
【００３４】
そこで、本発明においては、１６個のディスプレイ３１のそれぞれに表示される画像をユーザが見た場合における、１６個のディスプレイ３１のそれぞれの見易さの度合い（この例では、後述する可視率α）が演算され、演算された１６個のディスプレイ３１の見易さの度合いに基づいて、１６個のディスプレイ３１のそれぞれの表示の優先順位（１位乃至１６位のうちのいずれかの順位であり、そのような順位を、以下、ディスプレイ順位と称する）が演算されて、ディスプレイ順位が演算された１６個のディスプレイ３１のそれぞれに、情報の重要度を表す順位（以下、そのような順位を重要度順位と称する）が予め決定されている複数の画像のうちの、ディスプレイ順位に対応する重要度の順位を有する画像がそれぞれ表示される。
【００３５】
即ち、ユーザにとって重要度の高い画像情報が、携帯型情報処理端末に搭載された１６個のディスプレイ３１のうちの最適なものに表示される。
【００３６】
なお、上述したディスプレイ３１の表示処理、および、そのような表示処理を実現するためのディスプレイ３１の構成等の詳細は、後述する。
【００３７】
図７は、本発明が適用される携帯型情報処理端末１（上述した携帯型情報処理端末１−１、および、携帯型情報処理端末１−２、並びに後述する図２９の携帯型情報処理端末１−３を個々に区別する必要がない場合、単に携帯型情報処理端末１と称する）の内部の構成例を表している。
【００３８】
図７において、ＣＰＵ４１は、ＲＯＭ４２に記憶されているプログラム、または記憶部４８からＲＡＭ４３にロードされたプログラムに従って各種の処理を実行する。ＲＡＭ４３にはまた、ＣＰＵ４１が各種の処理を実行する上において必要なデータなども適宜記憶される。
【００３９】
ＣＰＵ４１、ＲＯＭ４２、およびＲＡＭ４３は、バス４４を介して相互に接続されている。このバス４４にはまた、入出力インタフェース４５も接続されている。
【００４０】
入出力インタフェース４５には、キーボードなどよりなる入力部４６、複数のディスプレイ（図１の例では、ディスプレイ１１−１乃至１１−１１。図２の例では、ディスプレイ２１−１乃至２１−６）などよりなるディスプレイ部４７、および、ハードディスクなどより構成される記憶部４８が接続されている。
【００４１】
入出力インタフェース４５にはまた、必要に応じてドライブ４９が接続され、磁気ディスク、光ディスク、光磁気ディスク、或いは半導体メモリなどのリムーバブル記録媒体５０が適宜装着され、それらから読み出されたコンピュータプログラムが、必要に応じて記憶部４８、または、ディスプレイ部４７を構成する、後述する図８の各ディスプレイ６１のそれぞれに内蔵されるメモリ（図示せず）にインストールされる。
【００４２】
図８は、ディスプレイ部４７の詳細な構成例を表している。
【００４３】
上述したように、ディスプレイ部４７が有するディスプレイの数は、２個以上であれば、特に限定されないが、図８の例では、９個とされている。
【００４４】
即ち、図８に示されるように、ディスプレイ部４７には、９個のディスプレイ６１が設けられており、９個のディスプレイ６１のそれぞれには、データ線６２、グローバル／コミュニケーション線６３、および、ローカル／コミュニケーション線６４の３つの信号線が接続されている。
【００４５】
図９に示されるように、データ線６２は、９個のディスプレイ６１−１乃至６１−９をシリアルに接続する線であり、主に、ディスプレイ６１−１乃至６１−９が実際に表示する画像に対応する画像データが流れる線である。
【００４６】
この画像データは、図７において、ＣＰＵ４１からバス４４、および入出力インタフェース４５を介してディスプレイ部４７に送信され、ディスプレイ部４７に送信された画像データは、図９において、データ線６２を通って、ディスプレイ６１−９乃至６１−１の順に、各ディスプレイ６１−９乃至６１−１を通過した後、再び、入出力インタフェース４５、およびバス４４を介してＣＰＵ４１に伝送される。ただし、後述するように、画像データは、ディスプレイ部４７の中で、別の情報に適宜変換される。
【００４７】
この例においては、例えば、このデータ線６２には、上述した画像データも含めて、以下の（１）乃至（７）に示される情報が流れる。
（１）画像データ
（２）画像データ（（１）の情報）のデータ番号（インデックス）
（３）画像データ（（１）の情報）の重要度を表す情報（重要度順位）
（４）今回、画像データ（（１）の情報）を受け取ったディスプレイの番号
（５）ディスプレイ（（４）の番号を有するディスプレイ）の可視率α
（６）表示位置交換処理、若しくは重要情報拡大表示処理が行われているか否かのフラグ
（７）表示位置交換処理、若しくは重要情報拡大表示処理の実行を、ユーザ若しくはＣＰＵ４１（図７）が指令するモード番号
なお、（２）乃至（７）の情報の詳細については、後述する。
【００４８】
上述した（１）乃至（７）の情報は、各ディスプレイ６１−９乃至６１−１のそれぞれをその順番で通過していく過程で変化する。具体的には、例えば、データ線６２に、画像データ（（１）の情報）が流れる場合、ディスプレイ６１−９乃至６１−１のうちの所定の１つに、画像データが流れ込み、そこでその画像データに対応する画像が表示されると、その画像データは、それ以降のデータ線６２を流れなくなり、それ以降のデータ線６２には、新たに、そのディスプレイの番号（（４）の情報）や、そのディスプレイの可視率α（（５）の情報）等が流れる。
【００４９】
このように、この例においては、データ線６２には、上述した（１）乃至（７）の７つの情報が流れるが、上述したように、これらの情報はデータ線６２を流れる過程で変化するので、同じデータ線６２でも、入出力インタフェース４５（ＣＰＵ４１（図７））からディスプレイ６１−９に入力される入力信号と、最終的にディスプレイ６１−１から入出力インタフェース４５（ＣＰＵ４１）へ出力される出力信号に含まれる情報の種類は異なる。
【００５０】
以下、そのような入力信号および出力信号に含まれる情報と、その情報の使用方法を簡単に説明する。ただし、その詳細、および、信号のやり取りについては、後述する。
【００５１】
即ち、この例においては、例えば、入力信号に含まれる情報は、上述した（１）乃至（７）の情報のうちの次の４つの情報とされる。
（１）画像データ
画像データは、ディスプレイ６１−１乃至６１−９に実際に表示される画像を構成する画素毎のデータ（例えば、ＲＧＢ　、または、ＹＵＶ　の値等）とされる。
（２）画像データのデータ番号（インデックス）
画像データのデータ番号は、ディスプレイの枚数分（この例では、ディスプレイ６１−１乃至６１−９の９枚分）の画像データのそれぞれに対して付された番号（この例では、１乃至９のうちのいずれかの値）とされる。
（３）重要度順位（番号）
ディスプレイの枚数分（この例では、ディスプレイ６１−１乃至６１−９の９枚分）の画像データのそれぞれに対して、重要度が高い順に、１乃至Ｋ（この例では、ｋ＝９）の番号が付されていく。この番号が、重要度順位（番号）とされる。重要度順位は、後述する表示位置交換処理、および、重要情報拡大表示処理等で使用される。
（７）モード番号
モード番号は、後述する表示位置交換処理、若しくは、重要情報拡大表示処理の実行を、ユーザ、若しくはＣＰＵ４１（図７）が指令する番号とされる。具体的には、この例においては、例えば、４つのモード（これらのモードについては後述する）が用意されており、４つのモードのそれぞれに対して付された番号（１乃至４の値のうちのいずれか）とされる。
【００５２】
また、この例においては、例えば、出力信号に含まれる情報は、上述した（１）乃至（７）の情報のうちの次の４つの情報とされる。
（２）画像データのデータ番号（インデックス）
これは、上述した入力信号の（２）の情報と同じものである。この（２）の情報、並びに、以下の（４）、および（５）の情報を、ＣＰＵ４１（図７）が入出力インタフェース４５を介して取得することで、ＣＰＵ４１は、各ディスプレイ６１−１乃至６１−９のそれぞれに表示された画像（それに対応する画像データ）を認識することが可能になる。
（４）画像データを受け取った（それに対応する画像を表示した）ディスプレイの番号
（５）画像データを受け取ったディスプレイの可視率α（可視率αについては後述する）
（６）表示位置交換処理もしくは重要情報拡大表示処理が行われているか否かのフラグ
【００５３】
図１０に示されるように、グローバル／コミュニケーション線６３は、全てのディスプレイ６１−１乃至６１−９のそれぞれにつながる線である。即ち、グローバル／コミュニケーション線６３は、バスとしてディスプレイ６１−１乃至６１−９のそれぞれに並列的に接続されている。
【００５４】
この例においては、例えば、グローバル／コミュニケーション線６３に、以下の（８）乃至（１１）に示される情報が流れる。
（８）各ディスプレイ６１−１乃至６１−９のそれぞれの可視率α（可視率αについては、後述する）
（９）現在表示している画像に対応する画像データのデータ番号（インデックス）
（１０）現在表示している画像に対応する画像データの重要度順位（番号）
（１１）後述する縮小表示を行うための情報と、その縮小率（以下、この２つの情報をあわせて、縮小要求と称する）
【００５５】
このように、グローバル／コミュニケーション線６３は、主に、全てのディスプレイ６１−１乃至６１−９のそれぞれの間の情報伝達を行う線とされている。
【００５６】
図１１に示されるように、ローカル／コミュニケーション線６４は、各ディスプレイ６１−１乃至６１−９のそれぞれから、図１１中それに隣接するディスプレイに接続する線とされている。
【００５７】
例えば、ディスプレイ６１−５には、ディスプレイ６１−１と接続するローカル／コミュニケーション線６４−１、ディスプレイ６１−２と接続するローカル／コミュニケーション線６４−２、ディスプレイ６１−３と接続するローカル／コミュニケーション線６４−３、ディスプレイ６１−４と接続するローカル／コミュニケーション線６４−４、ディスプレイ６１−９と接続するローカル／コミュニケーション線６４−５、ディスプレイ６１−８と接続するローカル／コミュニケーション線６４−６、ディスプレイ６１−７と接続するローカル／コミュニケーション線６４−７、および、ディスプレイ６１−６と接続するローカル／コミュニケーション線６４−８の総計８本の線が接続されている。
【００５８】
この例においては、例えば、ローカル／コミュニケーション線６４には、グローバル／コミュニケーション線６３と同様に、上述した（８）乃至（１０）に示される情報と、以下の（１２）の情報が流れる。
（１２）後述する拡大表示を行うための情報と、その拡大率（以下、この２つの情報をあわせて、拡大要求と称する）
ただし、流れる情報は、対象となるディスプレイ（ディスプレイ６１−１乃至６１−９のうちの任意の１つ）の情報と、それに隣接するディスプレイの情報のみであり、その情報が流れる範囲も、隣接するディスプレイの間だけであり、それ以外のディスプレイには流れる事はない。
【００５９】
なお、この例においては、例えば、ディスプレイ６１−１乃至６１−９は、上述した図８乃至図１１に示される通りに電気的に接続されるが、外観的には、例えば、図１２に示されるように配置される。
【００６０】
即ち、ユーザの視線に対して（図１２中）、上から１行目に、左から、ディスプレイ６１−１乃至６１−３がその順番で配置され、２行目に、左から、ディスプレイ６１−４乃至６１−６がその順番で配置され、３行目に（一番下の行に）、左から、ディスプレイ６１−７乃至６１−９がその順番で配置される。
【００６１】
ただし、ディスプレイ６１−１乃至６１−９の配置方法は、電気配線的にも外観的にも、図８乃至図１２の例に限定されず、設計者等がその配置を自在に可変することが可能である。
【００６２】
図１３は、図８のディスプレイ部４７を構成する各ディスプレイ６１のうちの任意の１つの詳細の構成例を表している。
【００６３】
図１３に示されるように、ディスプレイ６１には、図１３中左方に、液晶デバイス等からなるディスプレイモジュール７１が設けられており、ディスプレイモジュール７１の上方と右方のそれぞれに、ディスプレイモジュール７１を制御するディスプレイドライバ７２−１、および、ディスプレイドライバ７２−２のそれぞれが設けられている。
【００６４】
ディスプレイ６１にはまた、ディスプレイドライバ７２−２の右方に、Ｉ／Ｏ回路（Ｉｎｐｕｔ／Ｏｕｔｐｕｔ回路）７３が設けられている。Ｉ／Ｏ回路７３には、上述したデータ線６２、グローバル／コミュニケーション線６３、および、ローカル／コミュニケーション線６４の３つの信号線が接続されており、Ｉ／Ｏ回路７３は、それらの信号線から伝送されてきた上述した（１）乃至（１２）の情報を取得し、取得した情報のうちの処理の対象となるものに基づいて、各種の判定処理、または演算処理を行い、その結果（上述した（１）乃至（１２）の情報のうちの対応するもの）を出力する信号処理機能を有している。
【００６５】
ディスプレイ６１にはさらに、後述する可視率αの演算に使用される場所（方向、若しくは、角度）の情報、並びに、明るさ情報等の各種情報を取得するためのセンサ（画像センサ、光量センサ、または、角速度センサ等）が搭載される。
【００６６】
図１３の例では、例えば、そのようなセンサとして、ディスプレイドライバ７２−１と、ディスプレイドライバ７２−２の間にセンサ７４−１が、ディスプレイモジュール７１の内部にセンサ７４−２が、Ｉ／Ｏ回路７３の内部にセンサ７４−３がそれぞれ設けられている。ただし、センサ７４−１乃至７４−３の配置位置は、図１３の例に限定されず、センサ７４−１乃至７４−３が、検知対象を許容誤差内で検知可能な場所であれば、いずれの場所でもよい。
【００６７】
ところで、上述したように、９個のディスプレイ６１（図８と図１２）が同一平面上に存在しない場合、９個のディスプレイ６１の全てがユーザにとって必ずしも同一の見易さになるとは限らないという課題が発生してしまう。
【００６８】
そこで、この課題を解決するために、後述するように、本発明においては、各ディスプレイ６１のそれぞれに対するユーザからの見易さの度合いに基づいて、各ディスプレイ６１のそれぞれの表示方法や表示位置がリアルタイムに変化する。
【００６９】
ここでは、この見易さの度合いを、可視率αと称する。可視率αの算出方法は、様々な方法が考えられ、特に限定されるものではないが、この例においては、例えば、以下のようにして算出される。
【００７０】
即ち、この例においては、例えば、可視率αは、０乃至１００のうちのいずれかの値を取り、可視率αの値が大きいと、それに対応するディスプレイ６１が、ユーザから見やすい状態であることを意味し、これに対して、可視率αの値が小さいと、ユーザにとって見にくい状態であることを意味する。
【００７１】
また、この例においては、例えば、図１４に示されるように、可視率αを算出するために、上述したセンサ７４−１が、ディスプレイ６１に対する入射光量ｘ１、および、入射角ｘ２を検知する。また、センサ７４−２が、ディスプレイ６１からの反射光量ｘ３、および反射角ｘ４を検知し、センサ７４−３が、ユーザの目線とディスプレイ６１の呈示方向との間の角度差ｘ５を検知する。
【００７２】
なお、入射角ｘ２、反射角ｘ４、および、ユーザの目線とディスプレイ６１の呈示方向との間の角度差ｘ５の幾何学的な関係が、図１５に示されている。
【００７３】
即ち、図１５に示されるように、入射角ｘ２は、ディスプレイ６１の表面８６に入射される入射光線８１と、ディスプレイ６１の表面８６の法線８５とのなす角度とされる。反射角ｘ４は、入射光線８１が、ディスプレイ６１の表面８６で反射された反射光線８２と、法線８５とのなす角度とされる。
【００７４】
なお、以下、ディスプレイ６１の表面８６の法線８５方向のうちの、背面８７から表面８６に向かう方向（法線８５の矢印の方向）を、ディスプレイ６１の画像の呈示方向と称する。
【００７５】
従って、ユーザの目線とディスプレイ６１の呈示方向との間の角度差ｘ５は、ディスプレイ６１の表面８６からユーザの目８４に向かう方向８３と、ディスプレイ６１の画像の呈示方向（法線８５）とのなす角度とされる。
【００７６】
また、図１４の例では、これらの情報ｘ１乃至ｘ５は、各ディスプレイ６１のそれぞれに搭載されたセンサ７４−１乃至７４−３のうちのいずれかにより取得されるが、図１４の例に限定されず、例えば、統計的な手法で算出されてもよい。
【００７７】
具体的には、例えば、ユーザの目線とディスプレイ６１の呈示方向との間の角度差ｘ５は、図１４の例では、各ディスプレイ６１に搭載されるユーザの目線を特定するセンサ７４−３のそれぞれにより取得される。
【００７８】
しかしながら、ユーザの目の位置を特定するセンサ７４−３は、現在の技術レベルでは製作が難しく、また、そのようなセンサ７４−３をディスプレイ６１に実装するのは難しいと考えられる。
【００７９】
そこで、センサ７４−３の代わりに、以下のような統計的な手法で、ユーザの目線とディスプレイ６１の呈示方向との間の角度差ｘ５が算出されてもよい。
【００８０】
即ち、「ユーザは、携帯型情報処理端末１が一番良く見えるように、腕を傾けている」という仮定、換言すると、「より多くのディスプレイ６１が見える位置に、ユーザの目線がある」という仮定の基、各ディスプレイ６１の角度の最頻値がユーザの存在する（ユーザの目がある）方向として算出される。
【００８１】
具体的には、例えば、いま、９個のディスプレイ６１が向いている方向（所定の方向からの相対的な角度θ１乃至θ９）がそれぞれ取得され、その９個の方向の中で一番多い角度が、角度θαであったとする。
【００８２】
この場合、Ｉ／Ｏ回路７３は、角度θαの向きにユーザの目の位置があると判断し、その向きとの差分（θα−θ１，θα−θ２，θα−θ３，θα−θ４，θα−θ５，θα−θ６，θα−θ７，θα−θ８，θα−θ９）を、ユーザの目線とディスプレイ６１の呈示方向との間の角度差ｘ５とする。
【００８３】
図１４に示されるように、Ｉ／Ｏ回路７３は、センサ７４−１乃至７４−３のそれぞれから対応する情報ｘ１乃至ｘ５のそれぞれを取得すると、情報ｘ１乃至ｘ５に基づいて、可視率αを演算し、必要に応じて、データ線６２、グローバル／コミュニケーション線６３、および、ローカルコミュニケーション線６４のうちのいずれかの制御線に適宜出力する。
【００８４】
なお、可視率αの演算方法は、上述したように特に限定されないが、この例においては、例えば、次の式（１）に示されるような、情報ｘ１乃至ｘ５のそれぞれをパラメータとする関数に従って、可視率αが算出される。
α　＝　ｆ　（ｘ１，ｘ２，ｘ３，ｘ４，ｘ５）　・・・（１）
【００８５】
なお、式（１）のパラメータも、上述した情報ｘ１乃至ｘ５に限定されず、Ｉ／Ｏ回路７３が取得可能なものであればよい。また、パラメータの数も特に限定されない。
【００８６】
より具体的には、この例においては、例えば、上述した式（１）は、次の式（２）のように記述される。
【００８７】
【数１】
2004077862.tif 000003
【００８８】
式（２）において、ｘ１乃至ｘ５は、式（１）と同様に、上述したセンサ７４−１乃至７４−３の検出値（情報）ｘ１乃至ｘ５を表している。また、Ａは、補正係数（定数）を、Ｘ１は、ディスプレイ６１に対する入射光量の最適値（固定値）を、θ２は、ディスプレイ６１に対する入射角の最適角（固定値）を、Ｘ３は、ディスプレイ６１からの反射光量の最適値（固定値）を、θ４は、ディスプレイ６１からの反射角の最適角（固定値）を、それぞれ表している。
【００８９】
即ち、式（２）は、ディスプレイ６１に対する入射光量および入射角、並びに、ディスプレイ６１からの反射光量および反射角には適正値（定数）が存在し、それらから離れれば離れるほど可視率αが悪くなることを表している。換言すると、式（２）は、ディスプレイ６１に光が当たりすぎても、逆に、当たらなくても可視率αは低くなる（見にくくなる）ことを表している。
【００９０】
以上、可視率αの算出方法の１例について説明したが、上述したように、その算出方法は、上述した例に限定されず、「ユーザからの見やすさの度合い（指標）」を算出可能なものであれば、いずれの方式でも構わない。
【００９１】
次に、図１６のフローチャートを参照して、図８のディスプレイ部４７のうちの、１つのディスプレイ６１の表示処理について説明する。
【００９２】
なお、具体的には、図１３のディスプレイ６１のＩ／Ｏ回路７３が以下の処理を実行するが、説明の簡略上、以下、単にディスプレイ６１の処理として説明する。
【００９３】
はじめに、ステップＳ１において、ディスプレイ６１は、上述したように自分自身の可視率αを演算し、グローバル／コミュニケーション線６３に送出する。
【００９４】
その後、図７において、ＣＰＵ４１は、ユーザの指示若しくは自分自身の判断に基づいて、上述したモード番号（（７）の情報）を、バス４４、および入出力インタフェース４５を介してディスプレイ部４７に送信してくる。
【００９５】
なお、この例においては、例えば、モード番号は、１乃至４の番号のうちのいずれかとされ、それぞれのモード番号は、以下のことを表しているとする。
【００９６】
即ち、モード番号１は、ディスプレイ６１の処理を無処理に固定するモード（以下、通常モードと称する）の設定の指示を表している。モード番号２は、ディスプレイ６１の処理を後述する「表示位置交換処理」に固定するモード（以下、表示位置交換処理固定モードと称する）の設定の指示を表している。モード番号３は、ディスプレイ６１の処理を後述する「重要情報拡大表示処理」に固定するモード（以下、重要情報拡大表示処理固定モードと称する）の設定の指示を表している。モード番号４は、ディスプレイ６１の処理として、「表示位置交換処理」と「重要情報拡大表示処理」のうちのいずれか一方に適応的に切り換えるモード（以下、位置交換／拡大適応処理モードと称する）の設定の指示を表している。
【００９７】
なお、モード番号の数、および、モードの種類は、上述した例に限定されるものではなく、任意の数、および、任意の種類とすることが可能である。
【００９８】
換言すると、ＣＰＵ４１は、上述した４つのモード（通常モード、表示位置交換処理固定モード、重要情報拡大表示処理固定モード、および、位置交換／拡大適応処理モード）のうちの任意の１つを選択し、選択したモードに対応するモード番号を、バス４４、および入出力インタフェース４５を介してディスプレイ部４７に送信してくる。
【００９９】
図８において、ディスプレイ部４７に供給されたモード番号は、データ線６２を通って、各ディスプレイ６１のそれぞれに伝送される。
【０１００】
そこで、ディスプレイ６１は、データ線６２からモード番号を取得すると、図１６のステップＳ２において、通常モードであるか否かを判定する。
【０１０１】
即ち、取得したモード番号が１であった場合、ディスプレイ６１は、ステップＳ２において、通常モードであると判定し、ステップＳ３において、データ線６２から送信されてきた順に、画像データ（それに対応する画像）を表示する。
【０１０２】
この例においては、例えば、図１７に示されるように、ディスプレイ６１−１乃至６１−９のそれぞれには、その順番に、ディスプレイ番号Ｎｏ．１乃至Ｎｏ．９がそれぞれ付され、また、図７において、ＣＰＵ４１は、「Ａ」乃至「Ｉ」のそれぞれに対応する９つの画像データを、その順番で、バス４４、および、入出力インタフェース４５を介してディスプレイ部４７に供給するとする。
【０１０３】
この場合、図１７において、９個のディスプレイ６１−１乃至６１−９のそれぞれが、ステップＳ２の処理で、通常モードであると判定し、ステップＳ３の処理で、データ線６２から送信されてきた順（「Ａ」乃至「Ｉ」の順）に、画像データを表示すると、９個のディスプレイ６１−１乃至６１−９のそれぞれには、図１７に示されるような画像、即ち、ディスプレイ６１−１乃至６１−９の順番に、「Ａ」乃至「Ｉ」のそれぞれが表示される。
【０１０４】
図１６に戻り、これに対して、モード番号が１以外の番号であった場合、ディスプレイ６１は、ステップＳ２において、通常モードではないと判定し、ステップＳ４において、表示位置交換処理固定モードであるか否かを判定する。
【０１０５】
モード番号が２であった場合、ディスプレイ６１は、ステップＳ４において、表示位置交換処理固定モードであると判定し、ステップＳ５において、重要情報（画像）の表示位置（重要情報が表示されるディスプレイ）をリアルタイムに変更する処理を実行する。
【０１０６】
そのようなステップＳ５の処理を、以下、表示位置交換処理と称する。この例の表示位置交換処理の詳細が、図１８のフローチャートに示されている。そこで、図１８のフローチャートを参照して、表示位置交換処理の詳細について説明する。
【０１０７】
はじめに、ステップＳ２１において、ディスプレイ６１は、グローバル／コミュニケーション線６３から他のディスプレイの可視率αを読み取り、読み取った他のディスプレイの可視率αと、ステップＳ１（図１６）の処理で演算した自分自身の可視率αに基づいて、自分自身のディスプレイ順位を演算する。
【０１０８】
なお、ディスプレイ順位の演算方法は、特に限定されないが、この例においては、例えば、可視率αが高いディスプレイ６１から順に、ディスプレイ順位として、１から順に整数値がふられるとする。
【０１０９】
ステップＳ２２において、ディスプレイ６１は、データ線６２から、画像データ（（１）の情報）と、その画像データの重要度順位（（３）の情報）を取得する。
【０１１０】
なお、この例においては、画像データには、重要度順位として、１位乃至９位までのうちのいずれかの順位が付されているとする。
【０１１１】
なお、重要度順位の決定方法は、特に限定されず、例えば、その時点で、ユーザが使用している情報に対応する画像データに、最も高い重要度順位（１位）が付されてもよいし、携帯型情報処理端末１（図７）に入力された緊急情報に対応する画像データに、最も高い重要度順位が付されてもよい。また、時間的に前に使用された情報が解析され、情報の使用頻度が求められ、その使用頻度に基づいて重要度順位が付されてもよい。
【０１１２】
ステップＳ２３において、ディスプレイ６１は、ステップＳ２２の処理で取得した画像データに対して、既に表示処理をしたか否かを判定する。
【０１１３】
ステップＳ２３において、取得した画像データに対して、既に表示処理をしたと判定した場合、ディスプレイ６１は、ステップＳ２５において、ステップＳ２２の処理で取得した画像データをそのままデータ線６２に送出する。即ち、ディスプレイ６１は、その画像データを、データ線６２を介して次のディスプレイに供給する。
【０１１４】
これに対して、ステップＳ２３において、取得した画像データに対して、まだ表示処理をしていないと判定した場合、ディスプレイ６１は、ステップＳ２４において、ステップＳ２１の処理で演算した自分自身のディスプレイ順位と、ステップＳ２２の処理で取得した画像データの重要度順位が一致するか否かを判定する。
【０１１５】
ステップＳ２４において、自分自身のディスプレイ順位と、取得した画像データの重要度順位が一致しないと判定した場合、ディスプレイ６１は、ステップＳ２５において、ステップＳ２２の処理で取得した画像データをそのままデータ線６２に送出する。
【０１１６】
これに対して、ステップＳ２４において、自分自身のディスプレイ順位と、取得した画像データの重要度順位が一致すると判定した場合、ディスプレイ６１は、ステップＳ２６において、ステップＳ２２の処理で取得した画像データ（それに対応する画像）を表示する。
【０１１７】
そして、ステップＳ２７において、ディスプレイ６１は、データ線６２に、自分自身のディスプレイ番号（（４）の情報）と、可視率α（（５）の情報）を送出する。
【０１１８】
ステップＳ２８において、ディスプレイ６１は、データ列の全画像データの処理を終了したか否かを判定する。
【０１１９】
ステップＳ２８において、データ列の全画像データの処理をまだ終了していないと判定した場合、ディスプレイ６１は、その処理をステップＳ２２に戻し、それ以降の処理を繰り返す。即ち、ディスプレイ６１は、データ列の次の画像データと、その画像データの重要度順位を取得し、それを表示するか否かを判定する処理を実行する。
【０１２０】
そして、データ列の最後の画像データに対する処理が終了すると、ディスプレイ６１は、ステップＳ２８において、データ列の全画像データの処理を終了したと判定し、リターンする。
【０１２１】
このようにして、データ列内の各画像データのそれぞれが、データ線６２を流れ、各ディスプレイ６１のうちの所定のものに伝送され、そこで、その画像データに対応する画像が表示されていく度に、データ線６２を流れる画像データの数は減少していき、それに伴い、画像を表示しているディスプレイ６１のディスプレイ番号と可視率αの情報がデータ線６２に数多く流れるようになる。
【０１２２】
具体的には、この例においては、例えば、いま、ディスプレイ部４７の表示状態が、上述した図１７に示される状態（Ｎｏ．１のディスプレイ６１−１乃至Ｎｏ．９のディスプレイ６１−９のそれぞれに、その順番で、「Ａ」乃至「Ｉ」のそれぞれが表示されている状態）であり、周りの建物や人物の影響で、図１９に示されるように、Ｎｏ３のディスプレイ６１−３のほぼ全面、並びに、Ｎｏ２のディスプレイ６１−２、およびＮｏ６のディスプレイ６１−６の一部が、影１０１で覆われたとする。
【０１２３】
即ち、図１７に示されるように、ディスプレイ６１−１乃至６１−９の見易さがほぼ同一であったものが、図１９に示されるように、影１０１ができたことで、Ｎｏ２のディスプレイ６１−２、Ｎｏ３のディスプレイ６１−３、および、Ｎｏ６のディスプレイ６１−６の見易さに大きな変化が生じた（見づらくなった）とする。
【０１２４】
この場合、表示位置交換処理固定モードが選択されると、９個のディスプレイ６１−１乃至６１−９のそれぞれは、上述したステップＳ１（図１６）の処理で、自分自身の可視率αを演算し、グローバル／コミュニケーション線６３に送出する。
【０１２５】
そして、９個のディスプレイ６１−１乃至６１−９のそれぞれは、上述したステップＳ２１（図１８）の処理で、自分自身の可視率αを含む９個の可視率αを取得し、その９個の可視率αに基づいて、自分自身のディスプレイ順位を演算する。
【０１２６】
例えば、いま、図２０に示されるように、ディスプレイ順位が演算されたとする。即ち、この例においては、例えば、図２０に示されるように、可視率αの値（α）が高い順に可視率の順位がつけられ、その可視率の順位が、そのままディスプレイ順位として使用される。ただし、上述したように、ディスプレイ順位の演算方法は、図２０の例に限定されるものではない。
【０１２７】
また、９個のディスプレイ６１−１乃至６１−９のそれぞれは、上述したステップＳ２２（図１８）の処理で、データ列（この例では、「Ａ」に対応する画像データ乃至「Ｉ」に対応する画像データのそれぞれが、その順番で並んだデータ列）の各画像データのそれぞれと、その重要度順位を取得する。
【０１２８】
この例においては、例えば、データ列の各画像データのそれぞれの重要度順位は、図２１に示される順位とされる。即ち、データ列の各画像データのそれぞれは、重要度順位が高いものから順に並べると（１位乃至９位の順に並べると）、「Ａ」，「Ｃ」，「Ｈ」，「Ｆ」，「Ｇ」，「Ｂ」，「Ｅ」，「Ｉ」，「Ｄ」に対応する画像データとされる。
【０１２９】
そして、９個のディスプレイ６１−１乃至６１−９のそれぞれは、上述したステップＳ２４（図１８）の処理で、自分自身のディスプレイ順位（図２０）と、取得した画像データの重要度順位（図２１）とが一致すると判定した場合、その重要度順位を有する画像データ（直前のステップＳ２２の処理で取得した画像データ）を表示する。
【０１３０】
例えば、ディスプレイ順位（可視率の順位）が１位のＮｏ７のディスプレイユニット６１−７は、最も重要度順位が高い（１位の）画像データに対応する「Ａ」を表示する。
【０１３１】
例えば、影１０１がほぼその全面に覆われているＮｏ３のディスプレイ６１−３は、ディスプレイ順位が最低順位（９位）となるので、一番重要度が低い（重要度順位が最低順位である９位の）画像データに対応する「Ｄ」を表示する。
【０１３２】
また、上述したステップＳ２３（図１８）の処理で既に表示処理をしたと判定した場合、または、上述したステップＳ２４の処理で、自分自身のディスプレイ順位と、取得した画像データの重要度順位とが一致しないと判定した場合、即ち、受け取った画像データを表示すべきでないと判定した場合、９個のディスプレイ６１−１乃至６１−９のそれぞれは、ステップＳ２５（図１８）の処理で、受け取った画像データをそのままデータ線６２を介して次のディスプレイに送信する。
【０１３３】
９個のディスプレイ６１−１乃至６１−９のそれぞれは、以上の処理を行うことにより、画像データの重要度（重要度順位）に基づいて、図１９（図１７）の表示位置に対して、表示位置の交換を行い、図２２に示されるような画像、即ち、ディスプレイ６１−１乃至６１−９の順番に、「Ｃ」，「Ｉ」，「Ｄ」，「Ｆ」，「Ｈ」，「Ｅ」，「Ａ」，「Ｇ」，「Ｂ」のそれぞれを表示する。
【０１３４】
以上のように、表示位置交換処理固定モードにおいて、図８の９個のディスプレイ６１のそれぞれは、自分自身の可視率αを演算し、演算した自分自身の可視率αと、他の８個のディスプレイ６１の可視率αに基づいて、自分自身のディスプレイ順位を演算し、ＣＰＵ４１より入出力インタフェース４５を介して提供される、重要度順位が予め決定されている複数の画像（データ列の画像）のうちの、演算した自分自身のディスプレイ順位と同じ重要度順位を有する画像を表示する。
【０１３５】
従って、複数のディスプレイ６１からなるディスプレイ部４７を有する携帯型情報処理端末１は、ユーザの周囲の環境変化にリアルタイムに対応して、複数の画像データ（それに対応する画像）を、それらの重要度に見合ったディスプレイ６１に表示させることが可能になる。
【０１３６】
図１６に戻り、ディスプレイ６１は、ステップＳ４において、表示位置交換処理固定モードではないと判定した場合（モード番号が、１と２以外の場合（３または４である場合））、ステップＳ６において、位置交換／拡大適応処理モードであるか否かを判定する。
【０１３７】
ステップＳ６において、位置交換／拡大適応処理モードではないと判定した場合、選択されたモードは、重要情報拡大表示処理固定モードである（モード番号が３である）ことを表しているので、ディスプレイ６１は、ステップＳ８において、重要度の高い情報（画像）をリアルタイムに拡大表示する処理を行う。
【０１３８】
そのようなステップ８の処理を、以下、重要情報拡大表示処理と称する。この例の重要情報拡大表示処理の詳細が、図２３のフローチャートに示されている。そこで、図２３のフローチャートを参照して、重要情報拡大表示処理の詳細について説明する。
【０１３９】
はじめに、ステップＳ４１において、ディスプレイ６１は、グローバル／コミュニケーション線６３から他のディスプレイの可視率αを読み取り、読み取った他のディスプレイの可視率αと、ステップＳ１（図１６）の処理で演算した自分自身の可視率αに基づいて、自分自身のディスプレイ順位を演算する。
【０１４０】
ステップＳ４２において、ディスプレイ６１は、ステップＳ４１の処理で演算した自分自身のディスプレイ順位が１位（最高順位）であるか否かを判定する。
【０１４１】
ステップＳ４２において、自分自身のディスプレイ順位が１位であると判定した場合、ディスプレイ６１は、ステップＳ４３において、自分自身の可視率αが高く（自分自身の可視率α＞閥値αＴｈ１であり）、かつ、隣接するディスプレイも可視率αが高いか（隣接するディスプレイの可視率α＞閥値αＴｈ２であるか）否かを判定する。
【０１４２】
ステップＳ４３において、少なくとも、自分自身の可視率αが閥値αＴｈ１を超えていないか、または、隣接するディスプレイの可視率αが閥値αＴｈ２を超えていない場合（ＮＯであると判定した場合）、ディスプレイ６１は、ステップＳ４４において、データ線６２から送信されてきた順に、画像データを表示し、その処理をリターンする。即ち、上述した通常モードの場合と同様の処理が行われる。
【０１４３】
これに対して、ステップＳ４３において、自分自身の可視率αが高く、かつ、隣接するディスプレイも可視率αが高いと判定した場合、ディスプレイ６１は、ステップＳ４５乃至Ｓ４８の処理を実行して、重要情報（重要度順位が１位の画像データに対応する画像）を拡大して表示する。
【０１４４】
即ち、ステップＳ４５において、ディスプレイ順位が１位のディスプレイ６１は、拡大率ｎを演算する。
【０１４５】
なお、ここでは、その重要情報がどのくらいの割合で拡大されるかを表す倍率を、拡大率ｎと称している。この拡大率ｎは、上述した閥値αＴｈ２を超えている可視率αを有する、ディスプレイ順位が１位のディスプレイに隣接するディスプレイの個数に基づいて決定される。
【０１４６】
また、重要情報を拡大する場合、それに伴い、ディスプレイ部４７の９個のディスプレイ６１のうちの所定のもの（この例では、ディスプレイ順位が最下位（９位）のもの）は、後述するように、重要度の低い（重要度順位が低い）幾つかの画像データ（それに対応する画像）を、縮小して同時に表示させる必要がある。このときの縮小率ｎは、拡大率ｎに一致する。
【０１４７】
ステップＳ４６において、ディスプレイ順位が１位のディスプレイ６１は、縮小要求（縮小率ｎの値を含む上述した（１１）の情報）をグローバル／コミュニケーション線６３に送出する。
【０１４８】
ステップＳ４７において、ディスプレイ順位が１位のディスプレイ６１は、拡大要求（拡大率ｎの値を含む上述した（１２）の情報）をローカル／コミュニケーション線６４に送出する。
【０１４９】
ステップＳ４７の処理を完了すると、ディスプレイ６１は、ステップＳ４８において、重要情報を拡大して表示する。
【０１５０】
そのようなステップＳ４８の処理を、以下、拡大表示処理と称する。この例の拡大表示処理の詳細が、図２４のフローチャートに示されている。そこで、図２４のフローチャートを参照して、拡大表示処理の詳細について説明する。
【０１５１】
はじめに、ステップＳ７１において、ディスプレイ６１は、ローカル／コミュニケーション線６４から拡大要求（（１２）の情報）を取得し、さらに、その拡大要求から拡大率ｎを取得する。
【０１５２】
ただし、いまの場合、ディスプレイ６１は、ディスプレイ順位が１位であり、上述したステップＳ４５において、自分自身で拡大率ｎを演算しているので、ステップＳ７１の処理はスキップする。
【０１５３】
ステップＳ７２において、ディスプレイ６１は、ステップＳ７１の処理で取得した拡大率ｎと、拡大要求を出力したディスプレイ（ディスプレイ順位が１位のディスプレイ）の位置（図１２の配置位置）、および、自分自身の位置（図１２の配置位置）から、拡大表示する画像データのうちの、取得するデータ部分を特定する。
【０１５４】
なお、ここでは、拡大表示する画像のうちの、そのディスプレイ６１が表示する部分に対応するデータを、データ部分と称する。即ち、例えば、拡大率ｎが４の場合（４倍に拡大される場合）、重要情報は、４つのディスプレイ６１に表示される。従って、４つのディスプレイ６１のそれぞれは、その位置（図１２の配置位置）に応じて、重要情報（画像）のうちの右下、右上、左下、または、左上の４つの領域のうちのいずれかを表示する。このような４つの領域のそれぞれに対応するデータが、データ部分と称される。
【０１５５】
ステップＳ７３において、ディスプレイ６１は、データ線６２から、画像データ（（１）の情報）と、その画像データの重要度順位（（３）の情報）を取得する。
【０１５６】
ステップＳ７４において、ディスプレイ６１は、ステップＳ７３の処理で取得した画像データに対して、既に表示処理をしたか否かを判定する。
【０１５７】
ステップＳ７４において、取得した画像データに対して、既に表示処理をしたと判定した場合、ディスプレイ６１は、ステップＳ７５において、ステップＳ７３の処理で取得した画像データをそのままデータ線６２に送出し、処理をリターンする。即ち、ディスプレイ６１は、その画像データを、データ線６２を介して次のディスプレイに供給する。
【０１５８】
これに対して、ステップＳ７４において、取得した画像データに対して、まだ表示処理をしていないと判定した場合、ディスプレイ６１は、ステップＳ７６において、ステップＳ７３の処理で取得した画像データが、重要度順位が最も高い（１位である）画像データであるか否かを判定する。
【０１５９】
ステップＳ７６において、ステップＳ７３の処理で取得した画像データが、重要度順位が最も高い（１位である）画像データではない（重要度順位が２位乃至９位のうちのいずれかである）と判定した場合、ディスプレイ６１は、ステップＳ７５において、ステップＳ７３の処理で取得した画像データをそのままデータ線６２に送出する。
【０１６０】
これに対して、ステップＳ７６において、ステップＳ７３の処理で取得した画像データが、重要度順位が最も高い（１位である）画像データであると判定した場合、ディスプレイ６１は、ステップＳ７７において、重要度順位が最も高い（１位である）画像データから１／ｎのデータ（ステップＳ７３の処理で特定したデータ部分（画素データ））を取得し、ステップＳ７８において、取得した１／ｎのデータをｎ倍に拡大して表示する。
【０１６１】
なお、このとき、ステップＳ７８の処理で表示された１／ｎのデータ以外の画素データ（その他のデータ部分）は、そのディスプレイ６１には取得されずに、そのままデータ線６２に送出される。
【０１６２】
また、画像データをｎ倍に拡大する方法は、特に限定されず、線形補間を利用してもよいし、各種のフィルタを利用してもよいし、また、クラス分類適応処理を利用してもよい。
【０１６３】
そして、ステップＳ７９において、ディスプレイ６１は、データ線６２に、自分自身のディスプレイ番号（（４）の情報）と、可視率α（（５）の情報）を送出し、処理をリターンする。
【０１６４】
このようにして、重要度の最も高い画像データ（重要度順位が１位の画像データ）の一部がｎ倍に拡大され、ディスプレイ６１に表示される。
【０１６５】
以上、ディスプレイ順位が１位のディスプレイ６１に関する重要情報拡大表示処理について説明した。次に、ディスプレイ順位が１位以外（２位乃至９位の）ディスプレイ６１に関する重要情報拡大表示処理について説明する。
【０１６６】
即ち、図２３に戻り、ステップＳ４２において、ディスプレイ６１は、ディスプレイ順位が１位ではないと判定した場合、ステップＳ４９において、縮小要求があるか否かを判定する。
【０１６７】
ステップＳ４９において、縮小要求がないと判定した場合、ステップＳ４４において、データ線６２から送信されてきた順に、画像データを表示し、その処理をリターンする。即ち、上述した通常モードの場合と同様の処理が行われる。
【０１６８】
これに対して、ステップＳ４９において、縮小要求があると判定した場合、ステップＳ５０において、ディスプレイ６１は、自分自身のディスプレイ順位が最下位（９位）であるか否かを判定する。
【０１６９】
ステップＳ５０において、自分自身のディスプレイ順位が最下位（９位）であると判定した場合、ディスプレイ６１は、ステップＳ５１において、上述したように、重要度の低い（重要度順位が低い）幾つかの画像データ（それに対応する画像）を、縮小して同時に表示する。
【０１７０】
そのようなステップＳ５１の処理を、以下、縮小表示処理と称する。この例の縮小表示処理の詳細が、図２５のフローチャートに示されている。そこで、図２５のフローチャートを参照して、縮小表示処理の詳細について説明する。
【０１７１】
はじめに、ステップＳ９１において、ディスプレイ６１は、グローバル／コミュニケーション線６３から縮小要求（（１１）の情報）を取得し、さらに、その縮小要求から縮小率ｎを取得する。
【０１７２】
ステップＳ９２において、ディスプレイ６１は、データ線６２から、画像データ（（１）の情報）と、その画像データの重要度順位（（３）の情報）を取得する。
【０１７３】
ステップＳ９３において、ディスプレイ６１は、ステップＳ９２の処理で取得した画像データに対して、既に表示処理をしたか否かを判定する。
【０１７４】
ステップＳ９３において、取得した画像データに対して、既に表示処理をしたと判定した場合、ディスプレイ６１は、ステップＳ９４において、ステップＳ９２の処理で取得した画像データをそのままデータ線６２に送出し、処理をリターンする。即ち、ディスプレイ６１は、その画像データを、データ線６２を介して次のディスプレイに供給する。
【０１７５】
これに対して、ステップＳ９３において、取得した画像データに対して、まだ表示処理をしていないと判定した場合、ディスプレイ６１は、ステップＳ９５において、ステップＳ９２の処理で取得した画像データの重要度順位は、最も低い順位（９位）から数えてｎ位以内であるか（９，８，・・・，９−（ｎ＋１）位のうちのいずれかであるか）否かを判定する。
【０１７６】
ステップＳ９５において、ステップＳ９２の処理で取得した画像データの重要度順位は、最も低い順位（９位）から数えてｎ位以内ではないと判定した場合、ディスプレイ６１は、ステップＳ９４において、ステップＳ９２の処理で取得した画像データをそのままデータ線６２に送出する。
【０１７７】
これに対して、ステップＳ９５において、ステップＳ９２の処理で取得した画像データの重要度順位は、最も低い順位（９位）から数えてｎ位以内であると判定した場合、ディスプレイ６１は、ステップＳ９６において、最も低い重要度順位（９位）の画像データから、重要度順位が低い順に、ｎ個の画像データを取得する。
【０１７８】
ステップＳ９７において、ディスプレイ順位が最低順位（９位）のディスプレイ６１は、ステップＳ９６の処理で取得したｎ個の画像データのそれぞれを１／ｎに縮小し、縮小したｎ個の画像データを１画面に表示する。
【０１７９】
なお、画像データを１／ｎに縮小する方法は、特に限定されず、単純間引きを利用してもよいし、各種のフィルタを利用してもよいし、また、クラス分類適応処理を利用してもよい。
【０１８０】
そして、ステップＳ９８において、ディスプレイ６１は、データ線６２に、自分自身のディスプレイ番号（（４）の情報）と、可視率α（（５）の情報）を送出し、処理をリターンする。
【０１８１】
このようにして、重要度の低いｎ個の画像データ（重要度順位が下から数えてｎ番目までの画像データ）のそれぞれが１／ｎに縮小され、１つのディスプレイ６１（ディスプレイ順位が最低順位（９位）のディスプレイ６１）に表示される。
【０１８２】
以上、ディスプレイ順位が最高位（１位）と最低位（９位）のディスプレイ６１に関する重要情報拡大表示処理について説明した。次に、ディスプレイ順位がそれら以外の（２位乃至８位の）ディスプレイ６１に関する重要情報拡大表示処理について説明する。
【０１８３】
図２３に戻り、ステップＳ５０において、自分自身のディスプレイ順位が最下位ではない（２位乃至８位のうちのいずれかである）と判定した場合、ディスプレイ６１は、ステップＳ５２において、拡大要求を受けたか否かを判定する。
【０１８４】
ステップＳ５２において、拡大要求を受けたと判定した場合、それは、ディスプレイ６１自身が、ディスプレイ順位が１位（最高順位）のディスプレイに隣接しており、重要情報（重要度順位が１位の画像データに対応する画像）のうちの一部（所定のデータ部分に対応する画像）を、自分自身も拡大して表示する必要があることを意味しており、従って、ディスプレイ６１は、ステップＳ４８において、上述した拡大表示処理を実行する。
【０１８５】
これに対して、ステップＳ５２において、拡大要求を受けていないと判定した場合、特に画像を拡大表示する必要がないので、ディスプレイ６１は、ステップＳ５３において、自分自身のディスプレイ順位に対応する重要度順位をもつ画像データ（それに対応する画像）を等倍で表示する処理を行う。
【０１８６】
そのようなステップＳ５３の処理を、以下、等倍表示処理と称する。この例の等倍表示処理の詳細が、図２６のフローチャートに示されている。そこで、図２６のフローチャートを参照して、等倍表示処理の詳細について説明する。
【０１８７】
はじめに、ステップＳ１１１において、ディスプレイ６１は、ローカル／コミュニケーション線６４から拡大要求（（１２）の情報）を取得し、さらに、その拡大要求から拡大率ｎを取得する。
【０１８８】
ステップＳ１１２において、ディスプレイ６１は、ステップＳ１１１の処理で取得した拡大率ｎに基づいて、これから取得する画像データの重要度順位を決定する。
【０１８９】
この重要度順位の決定方法は、特に限定されないが、この例においては、例えば、ディスプレイ６１は、自分自身のディスプレイ順位から、（ｎ−１）を減算した順位を、これから取得する画像データの重要度順位として決定する。
【０１９０】
ステップＳ１１３において、ディスプレイ６１は、データ線６２から、画像データ（（１）の情報）と、その画像データの重要度順位（（３）の情報）を取得する。
【０１９１】
ステップＳ１１４において、ディスプレイ６１は、ステップＳ１１３の処理で取得した画像データに対して、既に表示処理をしたか否かを判定する。
【０１９２】
ステップＳ１１４において、取得した画像データに対して、既に表示処理をしたと判定した場合、ディスプレイ６１は、ステップＳ１１５において、ステップＳ１１３の処理で取得した画像データをそのままデータ線６２に送出し、処理をリターンする。即ち、ディスプレイ６１は、その画像データを、データ線６２を介して次のディスプレイに供給する。
【０１９３】
これに対して、ステップＳ１１４において、取得した画像データに対して、まだ表示処理をしていないと判定した場合、ディスプレイ６１は、ステップＳ１１６において、ステップＳ１１２の処理で決定した重要度順位と、ステップＳ１１３の処理で取得した画像データの重要度順位が一致するか否かを判定する。
【０１９４】
ステップＳ１１６において、決定した重要度順位と、取得した画像データの重要度順位が一致しないと判定した場合、ディスプレイ６１は、ステップＳ１１５において、ステップＳ１１３の処理で取得した画像データをそのままデータ線６２に送出する。
【０１９５】
これに対して、ステップＳ１１６において、決定した重要度順位と、取得した画像データの重要度順位が一致すると判定した場合、ディスプレイ６１は、ステップＳ１１７において、ステップＳ１１２の処理で決定した重要度順位の画像データを取得し、ステップＳ１１８において、取得した画像データを表示する。
【０１９６】
そして、ステップＳ１１９において、ディスプレイ６１は、データ線６２に、自分自身のディスプレイ番号（（４）の情報）と、可視率α（（５）の情報）を送出し、処理をリターンする。
【０１９７】
このように、重要情報拡大表示処理が実行されると、重要度の最も高い画像データ（重要度順位が１位の画像データ）がｎ倍に拡大され、ディスプレイ順位が最高位（１位）のディスプレイ６１とそれに隣接するディスプレイ６１（ｎ個のディスプレイ６１）に表示され、重要度の低いｎ個の画像データ（重要度順位が下から数えてｎ番目までの画像データ）のそれぞれが１／ｎに縮小され、ディスプレイ順位が最低位（９位）のディスプレイ６１に表示され、ディスプレイ順位が２位乃至８位のディスプレイ６１のそれぞれには、残りの画像データに対応する画像のうちの所定のものが等倍で表示される。
【０１９８】
具体的には、この例においては、例えば、いま、ディスプレイ部４７の表示状態が、図２７に示される状態（Ｎｏ．１のディスプレイ６１−１乃至Ｎｏ．９のディスプレイ６１−９のそれぞれに、その順番で、「Ａ」乃至「Ｉ」のそれぞれが表示されている状態）で、Ｎｏ．１のディスプレイ６１−１乃至Ｎｏ．９のディスプレイ６１−９のそれぞれが、上述したステップＳ１の処理で、可視率αを演算したところ、上述した図２０に示される通りになったとする。また、ＣＰＵ４１（図７）より入出力インタフェース４５を介してディスプレイ部４７に供給される画像データの重要度順位は、上述した図２１に示される通りとする。
【０１９９】
この場合、重要情報拡大表示処理が選択されると、上述したステップＳ４１（図２３）の処理で、Ｎｏ．１のディスプレイ６１−１乃至Ｎｏ．９のディスプレイ６１−９のそれぞれは、上述した図２０に示されるディスプレイ順位を演算し、上述したステップＳ４２の処理で、自分自身のディスプレイ順位が１位であるか否かを判定する。
【０２００】
いまの場合、図２０に示されるように、ディスプレイ順位が１位のディスプレイは、Ｎｏ．７のディスプレイ６１−７であるので、Ｎｏ．７のディスプレイ６１−７は、以下のような処理を実行する。
【０２０１】
即ち、Ｎｏ．７のディスプレイ６１−７は、上述したステップＳ４３の処理で、自分自身の可視率αが、閾値αＴＨ１を越えているか否かを判定するとともに、隣接するディスプレイ（いまの場合、ＮＯ．４のディスプレイ６１−４、ＮＯ．５のディスプレイ６１−５、および、ＮＯ．８のディスプレイ６１−８）の可視率αが、閾値αＴＨ２を越えているか否かを判定する。換言すると、Ｎｏ．７のディスプレイ６１−７は、自分自身と、それに隣接するディスプレイが、いまユーザにとって見易い状態になっているか否かを判定することで、重要情報の拡大表示を行うか否かを判定し、また、重要情報の拡大表示を行うと判定した場合、その拡大表示を行うディスプレイを選定する。
【０２０２】
この例においては、例えば、閾値αＴＨ１が８０とされ、かつ、閾値αＴＨ２が７０とされると、図２０に示されるように、Ｎｏ．７のディスプレイ６１−７の可視率α（＝８６）は、閾値αＴＨ１（＝８０）より大きく、かつ、それに隣接するＮＯ．４のディスプレイ６１−４の可視率α（＝７３）、ＮＯ．５のディスプレイ６１−５の可視率α（＝７７）、および、ＮＯ．８　のディスプレイ６１−８の可視率α（＝７１）のそれぞれは、閾値αＴＨ２（＝７０）より大きいので、Ｎｏ．７のディスプレイ６１−７、並びに、それに隣接するＮＯ．４のディスプレイ６１−４、ＮＯ．５のディスプレイ６１−５、および、ＮＯ．８のディスプレイ６１−８の４つのディスプレイが拡大表示処理を実行することが決定される。
【０２０３】
この場合、Ｎｏ．７のディスプレイ６１−７は、上述したステップＳ４５の処理で、拡大率ｎとして４を演算するので、縮小率ｎも４とされ、上述したステップＳ４６の処理で、縮小率ｎ（＝４）を含む縮小要求をグローバル／コミュニケーション線６３に送出するとともに、上述したステップＳ４７の処理（図２４）で、拡大率ｎ（＝４）を含む拡大要求をローカル／コミュニケーション線６４に送出する。
【０２０４】
この拡大要求を送出したＮｏ．７のディスプレイ６１−７、並びに、拡大要求を取得したＮＯ．４のディスプレイ６１−４、ＮＯ．５のディスプレイ６１−５、および、ＮＯ．８　のディスプレイ６１−８のそれぞれは、上述したステップＳ４８の拡大表示処理（図２４）を実行し、データ線６２から重要度順位が最高位（１位）の画像データ（いまの場合、「Ａ」に対応する画像データ）の一部（データ部分）を取得し、それに対応する画像を、４倍（縦２倍×横２倍）に拡大して表示する。
【０２０５】
このとき、画像データのどの部分（「Ａ」のうちのどの部分）の画像データ（データ部分）を取得するかは、拡大要求を出したＮＯ．７　のディスプレイ６１−７の配置位置と、その他の拡大表示をするディスプレイ（ＮＯ．４のディスプレイ６１−４、ＮＯ．５のディスプレイ６１−５、および、ＮＯ．８　のディスプレイ６１−８）の配置位置から決定される。
【０２０６】
いまの場合、４つのディスプレイに「Ａ」が表示されるので、データ部分は、「Ａ」のうちの、右上、右下、左上、および左下の４つの領域に対応するデータとされる。従って、図２８に示されるように、ＮＯ．７　のディスプレイ６１−７は、その配置位置から、「Ａ」のうちの左下の領域に対応するデータ部分を取得し、それを４倍に拡大して表示する。同様に、ＮＯ．４のディスプレイ６１−４は、「Ａ」のうちの左上の領域に対応するデータ部分を、ＮＯ．５のディスプレイ６１−５は、「Ａ」のうちの右上の領域に対応するデータ部分を、ＮＯ．８　のディスプレイ６１−８は、「Ａ」のうちの右下の領域に対応するデータ部分を、それぞれ取得し、それを４倍に拡大して表示する。
【０２０７】
これに対して、ディスプレイ順位が最下位（９位）であるディスプレイ（いまの場合、ＮＯ．３のディスプレイ６１−３）は、上述した縮小要求が、グローバル／コミュニケーション線６３に流れているのを検知すると、上述したステップＳ５１の縮小表示処理（図２５）を実行する。
【０２０８】
即ち、いまの場合、図２８に示されるように、ＮＯ．３のディスプレイ６１−３は、データ線６２（ＣＰＵ４１（図７）より供給される）画像データのうちの、重要度順位が下から数えて４番目までの（重要度順位が、９位乃至６位の）４個の画像データ、即ち、「Ｄ」、「Ｉ」、「Ｅ」、および、「Ｂ」に対応する画像データを取得し、それらの画像データのそれぞれに対応する画像（「Ｄ」、「Ｉ」、「Ｅ」、および、「Ｂ」）を１／４（縦１／２　×横１／２　）に縮小し、表示する。
【０２０９】
また、その他のディスプレイ、即ち、Ｎｏ．１のディスプレイ６１−１、Ｎｏ．２のディスプレイ６１−２、Ｎｏ．６のディスプレイ６１−６、および、Ｎｏ．９のディスプレイ６１−９のそれぞれは、上述したステップＳ５３（図２６）の処理を実行し、図２８に示されるように、「Ｈ」、「Ｇ」、「Ｆ」、および、「Ｃ」のそれぞれを等倍で表示する。
【０２１０】
このように、重要情報拡大表示処理固定モードが選択されると、ディスプレイ部４７（図７）の９個のディスプレイ６１−１乃至６１−９のそれぞれは、画像データの重要度に基づいて、最重要の画像データ（重要度順位が１位の画像データ）の拡大表示処理、それに対応する等倍処理、および、縮小処理のうちのいずれかの処理を実行し、図２８に示されるような（上述したような）画像を表示する。
【０２１１】
以上、通常モード、表示位置交換処理固定モード、および、重要情報拡大表示処理固定モードに関する、ディスプレイ６１の表示処理について説明した。
【０２１２】
次に、残りの、位置交換／拡大適応処理モードに関するディスプレイ６１の表示処理について説明する。
【０２１３】
図１６に戻り、ステップＳ６において、位置交換／拡大適応処理モードであると判定した場合、ディスプレイ６１は、ステップＳ７において、可視率αが高い（α＞αＴｈ１）ディスプレイが存在するか否かを判定する。
【０２１４】
ステップＳ７において、可視率αが高い（α＞αＴｈ１）ディスプレイが存在すると判定した場合、即ち、少なくともディスプレイ順位が１位のディスプレイ６１の可視率αが、上述した閥値αＴｈ１を超えている場合、ディスプレイ６１は、ステップＳ８において、上述した重要情報拡大表示処理を実行する。
【０２１５】
これに対して、ステップＳ７において、可視率αが高い（α＞αＴｈ１）ディスプレイが存在しないと判定した場合、即ち、全てのディスプレイ６１の可視率αが、上述した閥値αＴｈ１より低い値である場合、ディスプレイ６１は、ステップＳ５において、上述した表示位置交換処理を実行する。
【０２１６】
このように、位置交換／拡大適応処理モードが選択されると、ステップＳ７の判定処理の判定結果により、重要情報拡大表示処理と表示位置交換処理のうちのいずれか一方の処理が適切に選択され、その処理が実行される。
【０２１７】
なお、ステップＳ７の処理の判定内容としては、上述した例に限定されず、様々な内容が可能である。
【０２１８】
そして、上述した通常モードの処理（ステップＳ３の処理）、表示位置交換処理固定モードの処理（ステップＳ５の処理）、重要情報拡大表示処理固定モードの処理（ステップＳ８の処理）、並びに、位置交換／拡大適応処理モードの処理（ステップＳ５、若しくはステップＳ８の処理）のうちのいずれかの処理を完了すると、ディスプレイ６１は、ステップＳ９において、表示処理の終了が指示されたか否かを判定する。
【０２１９】
ステップＳ９において、表示処理の終了がまだ指示されていないと判定した場合、ディスプレイ６１は、その処理をステップＳ２に戻し、それ以降の処理を繰り返す。
【０２２０】
これに対して、ステップＳ９において、表示処理の終了が指示されたと判定した場合、ディスプレイ６１は、その処理を終了する。
【０２２１】
以上、各ディスプレイ６１のそれぞれに対するユーザからの見やすさ（可視率α）に基づいて、携帯型情報処理端末１の表示方法もしくは表示位置をリアルタイムに変化させる方法について説明した。
【０２２２】
さらに、携帯型情報処理端末１は、上述した方法と装置（ディスプレイ部４７等）を逆手に取り、ユーザの意思を携帯型情報処理端末１側で判断することにより、通常の入力と同様な処理を実行することも可能である。
【０２２３】
なお、ここでは、ボタン、マウス、またはキーボードといった入力デバイス（図７の入力部４６）を利用して、ユーザの意思を入力することを、通常の入力と称している。
【０２２４】
以下、図２９を参照して、携帯型情報処理端末１−３の入力機能について説明する。
【０２２５】
図２９に示されるように、この例においては、例えば、携帯型情報処理端末１−３には、５個のディスプレイ６１−１１乃至６１−１５が設けられている。なお、携帯型情報処理端末１−３の内部構造は、上述した図７に示される通りとされる。
【０２２６】
例えば、いま、携帯型情報処理端末１−３が、ユーザに選択をして欲しい項目を持っているとする。具体的には、この例においては、例えば、「ＹＥＳ」と「ＮＯ」の項目とされ、これらのうちのいずれか一方をユーザに選択させるとする。
【０２２７】
この場合、図７において、ＣＰＵ４１は、入出力インタフェース４５、およびバス４４を介して送信されてきた各ディスプレイ６１（図８）のそれぞれの可視率αに基づいて、携帯型情報処理端末１−３上のディスプレイ６１−１１乃至６１−１５のうちの、可視率αの大きく異なる２つのディスプレイ（図２９の例では、ディスプレイ６１−１２とディスプレイ６１−１４）を選択する。
【０２２８】
次に、図２９に示されるように、ディスプレイ６１−１２に、「ＹＥＳ」の文字を、ディスプレイ６１−１４に、「ＮＯ」の文字を、それぞれ表示し、その他のディスプレイ、例えば、ディスプレイ６１−１３に「ＹＥＳかＮＯのどちらかを選択してください」といった内容の選択を促す文字を表示する。
【０２２９】
ユーザは、自分の意思と同じ内容が表示されているディスプレイ（いまの場合、「ＹＥＳ」と表示されたディスプレイ６１−１２、または、「ＮＯ」と表示されたディスプレイ６１−１４）を自分自身が見易くなるように、携帯型情報処理端末１−３を動かす。
【０２３０】
例えば、いま、ユーザが、「ＹＥＳ」と表示されたディスプレイ６１−１２を自分自身が見易くなるように、携帯型情報処理端末１−３を動かしたとする。
【０２３１】
このとき、ディスプレイ６１−１２の可視率αは高くなり、ディスプレイ６１−１４の可視率αは、ディスプレイ６１−１２のそれよりも低くなるはずである。
【０２３２】
逆に、例えば、いま、ユーザが、「ＮＯ」と表示されたディスプレイ６１−１４を自分自身が見易くなるように、携帯型情報処理端末１−３を動かしたとする。
【０２３３】
このとき、ディスプレイ６１−１４の可視率αは高くなり、ディスプレイ６１−１２の可視率αは、ディスプレイ６１−１４のそれよりも低くなるはずである。
【０２３４】
そこで、ＣＰＵ４１は、上述したように、データ線６２に送られてくるディスプレイ６１−１２とディスプレイ６１−１４の可視率αを、入出力インタフェース４５、およびバス４４を介して取得することで（監視することで）、可視率αの高いディスプレイに表示されていた内容が、ユーザの意思であると判断し、その内容を入力する。
【０２３５】
なお、上述した例では、単純に「ＹＥＳ」または「ＮＯ」の入力（選択）であったが、入力情報は、上述した例に限定されず、ディスプレイ６１−１１乃至６１−１５のうちの１つのディスプレイに表示可能な情報であれば様々な情報を入力することが可能になる。
【０２３６】
また、携帯型情報処理端末１は、図２９の例のみならず、上述したディスプレイ部４７（図８）さえ有していれば、従来の入力デバイスを利用しなくても、ユーザの意思を取得する（入力する）ことが可能となる。
【０２３７】
上述したように、携帯型情報処理端末１は、ディスプレイ部４７（図８）を有しており、ディスプレイ部４７を構成する各ディスプレイ６１のそれぞれは、独立して上述した各種の表示処理を実行することができるので、以下の４つの効果を奏することが可能になる。
【０２３８】
即ち、第１の効果として、ユーザが意図せずに、ユーザにとって重要度の高い情報をユーザの見やすいディスプレイ６１に呈示することが可能になる。
【０２３９】
第２の効果として、ＣＰＵ４１（信号処理部）が処理をせずとも、ユーザにとって重要度の高い情報をユーザの見やすいディスプレイ６１に呈示することがが可能になる。
【０２４０】
第３の効果として、ユーザが意図せずとも、各ディスプレイ６１のそれぞれが自分自身で判断して、重要度の高い情報を拡大して表示することが可能になる。
【０２４１】
このように、携帯型情報処理端末１は、第１乃至第３の効果を奏することが可能であるので、ユーザは、携帯型情報処理端末１は、重要な情報を効率よく入手することができる。
【０２４２】
さらに、第４の効果として、ユーザが、自分自身の意図する情報を自分自身が見やすい位置にくるように、携帯型情報処理端末１自体の向きや位置を変えるだけで、ユーザの意思を携帯型情報処理端末１（ＣＰＵ４１）自身に判断させ、通常の入力と同様の入力が可能になる。
【０２４３】
一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、ネットワークや記録媒体からインストールされる。
【０２４４】
この記録媒体は、図７に示されるように、装置本体とは別に、ユーザにプログラムを提供するために配布される、プログラムが記録されている磁気ディスク（フロッピディスクを含む）、光ディスク（ＣＤ−ＲＯＭ（Ｃｏｍｐａｃｔ　Ｄｉｓｋ−Ｒｅａｄ　Ｏｎｌｙ　Ｍｅｍｏｒｙ），ＤＶＤ（Ｄｉｇｉｔａｌ　Ｖｅｒｓａｔｉｌｅ　Ｄｉｓｋ）を含む）、光磁気ディスク（ＭＤ（Ｍｉｎｉ−Ｄｉｓｋ）を含む）、もしくは半導体メモリなどよりなるリムーバブル記録媒体（パッケージメディア）５０により構成されるだけでなく、装置本体に予め組み込まれた状態でユーザに提供される、プログラムが記録されているＲＯＭ４２や、記憶部４８に含まれるハードディスク、または、ディスプレイ部４７を構成する各ディスプレイ６１のＩ／Ｏ回路（図１３）等に内蔵されているメモリ（図示せず）などで構成される。
【０２４５】
なお、本明細書において、記録媒体に記録されるプログラムを記述するステップは、その記載順序に沿って時系列的に行われる処理はもちろん、必ずしも時系列的に処理されなくとも、並列的あるいは個別に実行される処理をも含むものである。
【０２４６】
【発明の効果】
以上のごとく、本発明によれば、携帯型情報処理端末に搭載される複数のディスプレイのそれぞれを提供することが可能になる。特に、ユーザにとって重要度の高い画像情報を最適な位置に表示させることができるディスプレイを提供することが可能になる。
【０２４７】
また、本発明によれば、複数のディスプレイを搭載した携帯型情報処理端末を提供することが可能になる。特に、ユーザにとって重要度の高い画像情報を、携帯型情報処理端末に搭載された複数のディスプレイのうちの最適なものに表示させることが可能になる。
【図面の簡単な説明】
【図１】本発明が適用される腕時計型の携帯型情報処理端末の外観の構成例を示す図である。
【図２】本発明が適用されるＰＤＡ型の携帯型情報処理端末の外観の構成例を示す図である。
【図３】本発明が適用される、携帯型情報処理端末に搭載される複数のディスプレイの配置例を説明する斜視図である。
【図４】図３の複数のディスプレイの配置例を説明する水平断面図である。
【図５】図４の複数のディスプレイの他の配置例を説明する斜視図である。
【図６】図５の複数のディスプレイの配置例を説明する水平断面図である。
【図７】本発明が適用される携帯型情報処理端末の内部の構成例を示すブロック図である。
【図８】図７のディスプレイ部の構成例を示すブロック図である。
【図９】図８のディスプレイ部のうちの、ディスプレイとデータ線の接続例を説明する図である。
【図１０】図８のディスプレイ部のうちの、ディスプレイとグローバル／コミュニケーション線の接続例を説明する図である。
【図１１】図８のディスプレイ部のうちの、ディスプレイとローカル／コミュニケーション線の接続例を説明する図である。
【図１２】図８のディスプレイ部の各ディスプレイの実際の配置例を示す図である。
【図１３】図８のディスプレイ部のディスプレイの構成の詳細を説明する図である。
【図１４】可視率αの算出方法を説明する図である。
【図１５】図１４の可視率αの算出に利用される、ディスプレイに対する入射角、反射角、および、ユーザの目線とディスプレイの呈示方向とのなす角度を説明する図である。
【図１６】図８のディスプレイ部の各ディスプレイの表示処理を説明するフローチャートである。
【図１７】通常モードが選択された場合の、図８のディスプレイ部の表示例を示す図である。
【図１８】図１６のディスプレイの表示処理のうちの、表示位置交換処理を説明するフローチャートである。
【図１９】図８のディスプレイ部のうちの一部が影に覆われた場合の、ディスプレイ部の表示例を示す図である。
【図２０】図８のディスプレイ部の各ディスプレイのディスプレイ順位の例を説明する図である。
【図２１】図８のディスプレイ部に供給される画像データの重要度順位の例を説明する図である。
【図２２】図１９に示される状態で、図１８の表示位置交換処理が実行された場合の、図８のディスプレイ部の表示例を示す図である。
【図２３】図１６のディスプレイの表示処理のうちの、重要情報拡大表示処理を説明するフローチャートである。
【図２４】図２３の重要情報拡大表示処理のうちの、拡大表示処理を説明するフローチャートである。
【図２５】図２３の重要情報拡大表示処理のうちの、縮小処理を説明するフローチャートである。
【図２６】図２３の重要情報拡大表示処理のうちの、等倍表示処理を説明するフローチャートである。
【図２７】図８のディスプレイ部の表示例を示す図である。
【図２８】図２７に示される状態で、図１８の表示位置交換処理が実行された場合の、図２３のディスプレイの表示処理のうちの、重要情報拡大表示処理の表示例を示す図である。
【図２９】本発明が適用される腕時計型の携帯型情報処理端末の入力機能を説明する図である。
【符号の説明】
１　携帯型情報処理端末，　１１，２１，３１　ディスプレイ，　４１ＣＰＵ，　４７　ディスプレイ部，　６１　ディスプレイ，　６２　データ線，　６３グローバル／コミュニケーション線，　６４　ローカル／コミュニケーション線，　７１　ディスプレイモジュール，　７３　Ｉ／Ｏ回路，　７４　センサ
【図１】
2004077862.tif 000004
【図２】
2004077862.tif 000005
【図３】
2004077862.tif 000006
【図４】
2004077862.tif 000007
【図５】
2004077862.tif 000008
【図６】
2004077862.tif 000009
【図７】
2004077862.tif 000010
【図８】
2004077862.tif 000011
【図９】
2004077862.tif 000012
【図１０】
2004077862.tif 000013
【図１１】
2004077862.tif 000014
【図１２】
2004077862.tif 000015
【図１３】
2004077862.tif 000016
【図１４】
2004077862.tif 000017
【図１５】
2004077862.tif 000018
【図１６】
2004077862.tif 000019
【図１７】
2004077862.tif 000020
【図１８】
2004077862.tif 000021
【図１９】
2004077862.tif 000022
【図２０】
2004077862.tif 000023
【図２１】
2004077862.tif 000024
【図２２】
2004077862.tif 000025
【図２３】
2004077862.tif 000026
【図２４】
2004077862.tif 000027
【図２５】
2004077862.tif 000028
【図２６】
2004077862.tif 000029
【図２７】
2004077862.tif 000030
【図２８】
2004077862.tif 000031
【図２９】
2004077862.tif 000032